(57)【要約】【課題】導光板の端面と発光源とを容易に位置合わせ可能遊技機を提供する【解決手段】遊技機は、発光源（１６０Ｓ１，１６０Ｓ２）が設けられた基板（１６０）と、導光板（１２０）と、を有する電飾装置を備えている。導光板（１２０）は、発光源（１６０Ｓ１，１６０Ｓ２）が設けられた基板（１６０）の厚さ方向と直交する面が突き当てられて発光源（１６０Ｓ１，１６０Ｓ２）と前記導光板（１２０）の端面とを位置合わせする、前記導光板（１２０）の端面（１２５１，１２６１）と直交する面を有している。【選択図】図９
2019058554.tif 000002
【特許請求の範囲】
【請求項１】
発光する電飾装置を備えた遊技機であって、
前記電飾装置は、
発光源が設けられた基板と、
端面から入射した前記発光源からの光を出射させる導光板と、を備え、
前記導光板は、前記光源からの光が入射する端面と直交する方向に延びると共に、前記発光源が設けられた前記基板の表面が突き当てられる突き当て面を有し、前記突き当て面に対して前記基板の表面が突き当てられることによって、前記発光源と前記導光板の端面とが位置合わせされる、
ことを特徴とする遊技機。
【請求項２】
前記導光板は、前記基板の端部が嵌挿される凹部を有すると共に、前記導光板の突き当て面は、前記凹部の対向する両内側面の一方であり、前記凹部の両内側面によって前記基板を前記基板の厚さ方向に拘束する、
ことを特徴とする請求項１記載の遊技機。
【発明の詳細な説明】
【技術分野】
【０００１】
本発明は、遊技機に関する。
【背景技術】
【０００２】
従来、パチンコ機やスロットマシンなど、パチンコ玉やメダルなどの遊技媒体に対して一定の遊技価値を付与し、遊技媒体を獲得するための遊技を遊技者に提供する遊技機が知られている。パチンコ機と称される弾球遊技機にあっては、遊技者がパチンコ玉（遊技球）を遊技盤の遊技領域に発射することで賞球を得るための遊技を行う。スロットマシン等と称される回動式遊技機にあっては、遊技者が外周面に図柄が配列されたリールの回転を停止させ、特定の図柄が揃った場合にメダル等の払出しが行われる。
【０００３】
このような遊技機においては、一般に、筐体の前面側に電飾装置が設けられており、遊技者に対して種々の情報を表示したり、遊技の進行に伴って遊技を盛り上げる演出等を行ったりすることができるようになっている。また、従来、このような電飾装置において、導光板の下部にＬＥＤ基盤を配置し、導光板の端面から導光板内部に光を入射させるように構成されたものが案出されている（特許文献１参照）。
【先行技術文献】
【特許文献】
【０００４】
【特許文献１】特開２０１７−１３６４６５号公報
【発明の概要】
【発明が解決しようとする課題】
【０００５】
しかしながら、上述したように端面から光を入射させて発光する導光板にあっては、上記端面と発光源としてのＬＥＤとの位置合わせが難しく、この導光板の端面と発光源とが所定の位置にて対向しない場合、導光板内に上手く光を導入することができず、効率よく導光板を発光させることができないという問題があった。
【０００６】
そこで、本発明は、導光板の端面と発光源とを容易に位置合わせ可能遊技機を提供することを目的とする。
【課題を解決するための手段】
【０００７】
本発明に係る遊技機は、発光する電飾装置を備えた遊技機であって、前記電飾装置は、発光源が設けられた基板と、端面から入射した前記発光源からの光を出射させる導光板と、を備え、前記導光板は、前記光源からの光が入射する端面と直交する方向に延びると共に、前記発光源が設けられた前記基板の表面が突き当てられる突き当て面を有し、前記突き当て面に対して前記基板の表面が突き当てられることによって、前記発光源と前記導光板の端面とが位置合わせされる、ことを特徴とする。
【発明の効果】
【０００８】
本発明に係る遊技機によると、導光板の突き当て面と、発光源が設けられた基板の表面と、を突き当てることによって、導光板の端面から光を入射して発光させる種類の導光板であっても、この導光板の端面と発光源とを容易に位置合わせすることができる。
【図面の簡単な説明】
【０００９】
【図１】本開示の実施の形態に係るスロットマシンの斜視図。
【図２】右サイドランプユニットの斜視図。
【図３】右サイドランプユニットの分解図。
【図４】ベースユニットの分解図。
【図５】導光板の斜視図。
【図６】右サイドランプユニットの平面断面図。
【図７】導光板の背面図。
【図８】拡散パターンの拡大図。
【図９】入光部近傍の拡大図。
【図１０】右サイドランプユニットの変形例を示す平面断面図。
【図１１】図１０の右サイドランプユニットに係る導光板を示す斜視図。
【発明を実施するための形態】
【００１０】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。更に、以下の説明において基本的に「前後」とは、遊技機の前側に遊技者が居る場合に、遊技者側が「前」で、遊技機側が「後」を意味し、「上下」とは遊技機の上面側が「上」で、下面側が「下」を意味し、「左右」とは遊技機を遊技する遊技者の左手側が「左」を意味し、右手側が「右」を意味する。
【００１１】
１．遊技機の全体構成
まず、本発明の実施の形態に係る遊技機としてのスロットマシン１の全体構成について図１に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した筐体１０を備えていると共に、この開口した筐体１０の前面を開閉可能な前扉５０により被覆して構成されている。また、筐体１０の内部には、複数の回転リールとしての第１リールＲ１〜第３リールＲ３を備えたリールユニット３０が収められていると共に、このリールユニット３０の下部には、メダルの払出装置としてのホッパーユニット（不図示）が収められている。
【００１２】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１３】
前扉５０は、上扉ユニット５０Ｕと、下扉ユニット５０Ｌとに上下に分割して構成されており、上扉ユニット５０Ｕは、その中央部から上方部に亘って大型の液晶からなる表示装置５２が設けられていると共に、表示装置５２の下方には、第１リールＲ１〜第３リールＲ３の回転状態及び停止状態を観察可能にする表示窓５１が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。
【００１４】
また、本実施の形態のスロットマシン１では、各リールの上段・中段・下段の表示位置の組合せ（例えば中段一列）によって有効ラインＬｆが設定されている。なお、本実施の形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬｆが有効化される。
【００１５】
前扉５０の下扉ユニット５０Ｌには、演出用の絵柄などを表示する下パネル５５が設けられていると共に、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３などが設けられている。
【００１６】
更に、下扉ユニット５０Ｌには、遊技者がメダルを投入するメダル投入口５６が設けられており、このメダル投入口５６から投入されたメダルは、下扉ユニット５０Ｌの裏側に設けられたセレクタ（不図示）によってカウントされてホッパーユニットへと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット（不図示）において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、即ちストップボタンＢ１〜ストップボタンＢ３による停止操作が有効化される。
【００１７】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット（不図示）へ出力するリール停止信号をオン状態からオフ状態に変化させる。
【００１８】
そして、主制御基板ユニットは、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００１９】
また、主制御基板ユニットは、第１リールＲ１〜第３リールＲ３を停止させた後に、有効ラインＬｆ上に停止している図柄の組合せに応じて、各種処理を実行する。主制御基板ユニットが実行する各種処理としては、例えば、有効ラインＬｆ上に停止している図柄の組合せが複数種類の役のうちメダルの払い出しを伴う小役の図柄組合せである場合、即ち小役が入賞した場合に、入賞した小役に設定されている配当に基づきホッパーユニットからメダルを払い出す払出処理や、有効ラインＬｆ上に停止している図柄の組合せが遊技者にメダルを消費させることなく１回遊技を実行可能にするリプレイの図柄組合せである場合に、今回の遊技における規定投入数のメダルを投入状態に設定するリプレイ処理等がある。
【００２０】
また、下扉ユニット５０Ｌの下部にはメダル受け皿６０が設けられており、遊技の結果に応じた枚数のメダルがメダル払出口からメダル受け皿６０へ払い出されるようになっている。更に、例えば、遊技機内にクレジットされたメダルが記憶されている状態で、精算ボタンが押下された場合、精算ボタンの押下に伴ってホッパーユニットからクレジット数（クレジットされたメダルの枚数）に相当する枚数のメダルを払い出す精算処理を実行し、メダル払出口からメダル受け皿６０へメダルを払い出す。
【００２１】
更に、前扉５０（特に上扉ユニット５０Ｕ）には、遊技を盛り上げるために音響装置（不図示）、電飾装置７５，７６Ｌ，７６Ｒ，７７，８０、演出用の可動役物７１、及び上述した表示装置５２などの複数の演出装置が設けられている。具体的には、表示装置５２の前面には、可動役物としてシャッタ装置７１が設けられており、遊技の進行に応じて左右のシャッタ（可動部材）７１Ｌ，７１Ｒを移動（開閉）させて表示装置５２の画面を遮蔽させたり露出させたりすることができるようになっている。
【００２２】
また、電飾装置として、表示装置５２の上方には上部ランプユニット７５が設けられていると共に、表示装置５２の左右側方には、サイドランプユニット７６Ｌ，７６Ｒが設けられている。更に、リールユニット３０の図柄を観察する表示窓５１の左右側方には、演出用の図柄を発光させるランプ装置７７及び演出時に遊技者が操作可能なプッシュボタンＳＢが設けられている。また、表示装置５２とリールユニット３０の図柄を観察する表示窓５１との間には、ナビランプユニット８０が設けられている。これら上部ランプユニット７５及びサイドランプユニット７６Ｌ，７６Ｒ及びナビランプユニット８０は、遊技に合わせて点灯して演出用の照明装置として機能したり、遊技に係る情報を遊技者に報知する報知装置として機能したりする。
【００２３】
２．サイドランプユニットの概略構成
次に、サイドランプユニット７６Ｌ，７６Ｒの構成について説明を図２〜図７に基づいて説明をする。なお、これら左右のサイドランプユニット７６Ｌ，７６Ｒは、左右の向きを別として実質的に同様の構成をしているため、以下の説明においては、右サイドランプユニット７６Ｒについてのみ説明をし、左サイドランプユニット７６Ｌの構成については、その説明を省略する。
【００２４】
図２に示すように、右サイドランプユニット７６Ｒは、スロットマシン１の前面に向けて光を照射するフロント発光領域７６Ｒ１と、スロットマシン１の側面に向けて光を照射するサイド発光領域７６Ｒ２とを備えて形成されている。フロント発光領域７６Ｒ１は、湾曲した発光ラインに沿って機体前面に向けて光を照射する発光領域であり、サイド発光領域７６Ｒ２と比較して強い光を照射することが出来るように構成されている。
【００２５】
また、サイド発光領域７６Ｒ２は、右サイドランプユニット７６Ｒの側面に形成され、この右サイドランプユニット７６Ｒの側面を面発光させるように構成されている。このため、右サイドランプユニット７６Ｒは、遊技の進行に伴って上記フロント発光領域をライン状に発光させたり、点滅させたりすることによって、遊技を盛り上げたり、遊技に係る情報を遊技者に対して報知したりすることが可能となっている。また、面発光しているサイド発光領域においては、演出用の絵柄などを遊技者に対して表示することができるようになっている。
【００２６】
図３は、上述した右サイドランプユニット７６Ｒの分解図である。図３に示すように、右サイドランプユニット７６Ｒは、右サイドランプユニット７６Ｒのベースユニット１３０に対して、機体外側から順にアウターカバー１００、デザインシート１１０、導光板１２０が取り付けられて構成されている。このアウターカバー１００は、透明部材によって形成され、上記フロント発光領域７６Ｒ１及びサイド発光領域７６Ｒ２のカバーとして機能すると同時にアウターレンズとしても機能している。なお、フロント発光領域７６Ｒ１においては、このアウターカバー１００の内側にインナーレンズ１０１が配設されている。
【００２７】
また、デザインシート１１０は、上述した演出用の絵柄が描画された透光性のフィルムによって形成され、導光板１２０は、その表面１２１が面発光して上記デザインシートを裏側から照らすように構成されている。更に、ベースユニット１３０は、図４に示すように、ランプベース１４０に対して、ＬＥＤ基板１６０，１７０，１８０が取り付けられて構成されている。より具体的には、上記ＬＥＤ基板１６０及び１７０は、ランプベース１４０に対して直接的に取り付けられていると共に、ＬＥＤ基板１８０は、ベースユニット１３０の背面側に配設されるサイドレンズブラケット１９１を介して取り付けられている。
【００２８】
フロント発光領域７６Ｒ１は、上下に並設されたＬＥＤ基板１６０及び１７０の内、ＬＥＤ基板１６０のフロントビューＬＥＤ１６０Ｆ及びＬＥＤ基板１７０のフロントビューＬＥＤ１７０Ｆによって発光させられる。また、サイド発光領域７６Ｒ２は、ＬＥＤ基板１６０のサイドビューＬＥＤ１６０Ｓ及びＬＥＤ基板１８０のサイドビューＬＥＤ１８０Ｓによって発光させられるように構成されている。なお、フロントビューＬＥＤとは、基板の厚さ方向に向けて出光するＬＥＤをいい、サイドビューＬＥＤとは、基板の厚さ方向と直交する方向に対して出光するＬＥＤをいう。
【００２９】
更に、ランプベース１４０には、リフレクタユニット１５０が取り付けられており、これらリフレクタユニット１５０の表面１５２Ｓ及びランプベース１４０の表面１４０Ｓによって導光板１２０の裏側にて光を反射するリフレクタ２００が形成されている。また、詳しくは後述するが、上記リフレクタユニット１５０は、第１リフレクタ部材１５１及び上述した表面１５２Ｓを有する第２リフレクタ部材１５２を備えて構成されている。
【００３０】
図５に示すように、導光板１２０の上部略中央部には、右サイドランプユニット７６Ｒの内側に向かって（導光板の裏面側に向かって）湾曲して入光部１２２が形成されており、この入光部１２２に対してＬＥＤ基板１６０のサイドビューＬＤＥ１６０Ｓからの光が入射する様になっている。また、機体後方側の端面１２３がＬＥＤ基板１８０のサイドビューＬＥＤ１８０Ｓから出射された光が入射する入射面となっている。このため、導光板１２０は、発光面としての、右サイドランプユニット７６Ｒの外側を向いた表面１２１の内、上方側をＬＥＤ基板１６０のサイドビューＬＤＥ１６０Ｓから出射された光によって発光し、下方側をＬＥＤ基板１８０のサイドビューＬＥＤ１８０Ｓから出射された光によって発光するようになっている。
【００３１】
より詳しくは、右サイドランプユニット７６Ｒの平面断面図である図６に示すように、導光板１２０の上部は、上記入光部１２２を中心としてスロットマシン１の前方側に向かって湾曲して延びる第１発光領域１２５と、スロットマシン１の後方側に向かって直線状に延びる第２発光領域１２６と、に分かれて形成されている。また、上述したＬＥＤ基板１６０のサイドビューＬＤＥ１６０Ｓは、スロットマシン１の前方側の基板面に上下に複数並んで配設されたサイドビューＬＥＤ１６０Ｓ１と、スロットマシン１の後方側の基板面に上下に複数並んで配設されたサイドビューＬＥＤ１６０Ｓ２と、によって構成されており、ＬＥＤ基板１６０は両面発光のＬＥＤ基板となっている。
【００３２】
このため、上記入光部１２２では、第１発光領域１２５側の導光板１２０の端面１２５１にＬＥＤ基板１６０のサイドビューＬＤＥ１６０Ｓ１から出射された光が入射して第１発光領域１２５における導光板１２０の表面１２１を発光させる。また、第２発光領域１２６側の導光板１２０の端面１２６１にサイドビューＬＤＥ１６０Ｓ２から出射された光が入射して第２発光領域１２６における導光板１２０の表面１２１を発光させるようになっている。
【００３３】
また、上記導光板１２０の端面１２５１，１２６１，１２３から入射した光は、導光板１２０の内部において、対向する導光板１２０の表面１２１及び裏面１２７の間にて反射を繰り返し、導光板内に広がるが、図６及び図７に示すように、導光板１２０の裏面１２７には、上記導光板１２０の内部にて反射している光の反射角度を変更して出射面としての表面１２１から出射させる拡散パターン３００が形成されている。この拡散パターン３００は、ドット状の凹部によって形成された複数の拡散部３０１が配列されて形成されており、この拡散部３０１の表面によって導光板１２０内にて反射している光が導光板１２０の表面１２１に向かって反射されることによって、導光板１２０の表面１２１が発光するようになっている。なお、上記拡散部３０１は、サイドビューＬＤＥ１６０Ｓ１，１６０Ｓ２から光が入射する入光部１２２においては、形成されていない。また、本実施の形態においては、上記拡散パターン３００は、円錐状の凹部によって形成されているが、これに限らず、表面１２１に向かって光を反射するような傾斜面を有する形状であれば、どのような形状であっても良い。更に、上記拡散パターン３００は、本実施の形態においては、レーザー加工によって形成されているが、これに限らず、切削加工や、ホットスタンプ加工、射出成形加工など、どのような加工方法によって形成されても良い。
【００３４】
３．拡散パターンの詳細構成
ついで、上記拡散パターン３００の形状について詳しく説明をする。図６に示すように、導光板１２０の端面１２５１から入射した光は、導光板１２０の機体前方側の端面１２８の間にて導光板１２０内部で反射を繰り返している内に、上述した拡散パターン３００によって拡散されて表面１２１から出射する。このため、発光源であるサイドビューＬＤＥ１６０Ｓ１に近い程、より多くの光が導光板１２０内部にて反射しており、それに伴って拡散部３０１の表面にて反射されて導光板１２０の表面１２１から出射する光も多くなる。
【００３５】
一方で、サイドビューＬＤＥ１６０Ｓ１から遠い機体前方側の端面１２８の近くでは、どうしても導光板１２０の内部にて反射している光の量が少なくなるため、通常、導光板１２０の表面１２１から出射する光も少なくなってしまう。このため、本実施の形態のように導光板の端面から光を入射させ、拡散パターンにて反射して発光面を発光させる種類の導光板では、発光源から近い程、明るく、発光源から遠くなるほど暗くなってしまうという問題があった。
【００３６】
図８は、本実施の形態に係る導光板１２０の拡散パターン３００を拡大した図である。ここで、本実施の形態に係る導光板１２０は、発光面としての表面１２１を均一に発光させるため、拡散パターン３００の拡散部３０１の形状を発光源（入光面）からの沿面距離に応じて変更している。例えば、入光面である端面１２５１から入射した光によって発光する第１発光領域１２５では、上記端面１２５１近傍に位置する第１拡散部３０１１と、この第１拡散部３０１１よりも端面１２５１からの沿面距離の離れた第２拡散部３０１２とを比較した場合、第２拡散部３０１２の方が第１拡散部３０１１よりもその面積が大きくなるように形成されている。
【００３７】
このため、第１発光領域１２５において、単位面積あたりにおける拡散部３０１が占める割合がサイドビューＬＤＥ１６０Ｓ１（端面１２５１）からの沿面距離が遠い程、大きくなるようになっており、従って、導光板１２０の内部にて反射している光は、サイドビューＬＤＥ１６０Ｓ１（端面１２５１）からの距離が遠い程、拡散部３０１の表面にて反射され易くなっている。
【００３８】
従って、発光源からの距離が離れており、内部にて反射している光量が少ない第２拡散部３０１２近傍であっても、拡散部３０１が密に形成されているため、導光板１２０内にて反射している光を拡散部３０１の表面により、より高い確率で反射することができ、所定の明るさにて表面１２１を発光させることができる。
【００３９】
また、本実施の形態に係る拡散パターン３００は、第１発光領域１２５のみならず、第２発光領域１２６及び導光板１２０の下部についても同様の思想に基づいて設計されており、拡散部３０１３と拡散部３０１４とを比較した場合、拡散部３０１４の方がその面積（幅）が大きくなるように形成され、拡散部３０１５と拡散部３０１６の方とを比較した場合、拡散部３０１６の方がその面積が大きくなるように形成されている。
【００４０】
なお、拡散パターン３００は、発光源からの距離が離れる程、拡散部３０１により発光面に向かって導光板１２０内部の光をより反射しやすい形状に形成されていれば良い。このため、例えば、拡散部３０１の面積が同一であったとしても、発光源からの距離が遠い拡散部３０１の方が、導光板１２０の厚さ方向においてより深くなるように形成されていても良く、また、より密集して拡散部３０１を形成しても良い。加えて、上述したパターンを組み合わせて拡散パターン３００を形成しても良い。
【００４１】
即ち、導光板１２０においては、単位体積あたりにおける拡散部３０１の総表面積が大きければ大きいほど、導光板１２０内の光は、拡散部３０１の表面によって反射され易くなる。このため、本実施の形態の拡散パターン３００は、発光源からの距離が離れる程、単位体積あたりにおける拡散部３０１の総表面積が大きくなるように形成されているとも言える。
【００４２】
加えて、上述したように、導光板１２０は、入光部１２２においては、上述した拡散パターン３００を形成せず、第１及び第２屈曲部４００，４０１から直線状に延設された直線部についてのみしか上述した拡散パターン３００を形成していない。このため、導光板１２０の表面が湾曲し、表面１２１から光が出射してしまい易い第１及び第２屈曲部４００，４０１において、必要以上に多くの光が導光板外にもれてしまうことを防止している。
【００４３】
４．入光部周りの詳細構成
ついで、上述した入光部１２２周りの詳細構成について説明をする。図９は、図６に示す右サイドランプユニット７６Ｒの平面断面図において、入光部１２２周りを拡大した拡大図である。図９に示すように、導光板１２０は、第１発光領域１２５側の導光板が端面１２５１の近傍にて屈曲した第１屈曲部４００と、第２発光領域１２６側の導光板が端面１２６１の近傍にて屈曲した第２屈曲部４０１と、を備えており、これら第１及び第２屈曲部４００，４０１が右サイドランプユニット７６Ｒの内側に屈曲することによって上記入光部１２２が形成されている。
【００４４】
この入光部１２２は、第１屈曲部４００から端面１２５１に向けて直線状に延設された第１延設部４０２と、第２屈曲部４０１から端面１２６１に向けて直線状に延設された第２延設部４０３と、を備えていると共に、これら第１延設部４０２及び第２延設部４０３との間を接続する接続部４０５を備えている。このため、上記第１及び第２延設部４０２，４０３及び接続部４０５によって右サイドランプユニット７６Ｒの内側に向けて開口した凹部４０６が形成されており、この凹部４０６に対して、ＬＥＤ基板１６０の端部が嵌挿されるように形成されている。
【００４５】
そして、この凹部４０６は、その両内側面４０６１，４０６２においてＬＥＤ基板１６０を基板の厚さ方向において拘束している。これによって、上記基板の厚さ方向において、導光板１２０の端面１２５１とＬＥＤ基板１６０のサイドビューＬＥＤ１６０Ｓ１の出光面とが対向するように位置合わせされ、また、導光板１２０の端面１２６１とＬＥＤ基板１６０のサイドビューＬＥＤ１６０Ｓ２の出光面とが対向するように位置合わせされる。
【００４６】
更に、この凹部４０６は、上記導光板の端面１２５１，１２６１からサイドビューＬＥＤ１６０Ｓ１，１６０Ｓ２に対して過剰な力が作用しないように、基板の挿入方向（基板の厚さ方向と直交する方向）において、その深さＬ１が以下のように設定されている。即ち、凹部４０６の深さＬ１は、凹部４０６に挿入されるＬＥＤ基板１６０の端部の端面とサイドビューＬＥＤ１６０Ｓ１，１６０Ｓ２の出光面との距離Ｌ２以下に（Ｌ１≦Ｌ２）、より好ましくは距離Ｌ２よりも小さく（Ｌ１＜Ｌ２）設定されている。これにより、導光板の端面１２５１，１２６１とサイドビューＬＥＤ１６０Ｓ１，１６０Ｓ２とが接触して、導光板１２０の取付時にサイドビューＬＥＤ１６０Ｓ１，１６０Ｓ２が破損してしまうことが防止されている。
【００４７】
なお、上述したように凹部４０６の両内側面４０６１，４０６２によってＬＥＤ基板１６０の端部を厚さ方向の両方向に拘束することが好ましいが、必ずしも厚さ方向における両方向にＬＥＤ基板１６０の端部を拘束する必要はない。即ち、上記凹部４０６についても一方側の側面４０６１／４０６２についてみれば、発光源としてのサイドビューＬＥＤ１６０Ｓ１／１６０Ｓ２が設けられたＬＥＤ基板１６０の厚さ方向と直交する面１６０１／１６０２が、導光板１２０の端面１２５１／１２６１と直交する方向に延びる突き当て面４０６１，４０６２に付き当てられてサイドビューＬＥＤ１６０Ｓ１／１６０Ｓ２と導光板１２０の端面１２５１／１２６１とが位置合わせされていると言え、上記凹部４０６の内側面４０６１，４０６２は、どちらか一方であっても良い。また、これら凹部４０６の内側面４０６１，４０６２は、接続部４０５によって形成される凹部４０６の底面４０６３と一緒に考えた場合、導光板１２０は、ＬＥＤ基板１６０を拘束する段差部を備えているとも言える。
【００４８】
ついで、リフレクタ２００の構成について詳しく説明をする。図４に示すように、導光板１２０の裏面１２７に沿って配設されたリフレクタ２００は、ランプベース１４０に対して第１及び第２リフレクタ部材１５１，１５２が取り付けられて構成されており、図９に示すように入光部１２２に対応する部分は、これら第１及び第２リフレクタ部材１５１，１５２によって袋状に形成されている。
【００４９】
より具体的には、図９に示すように、第１発光領域１２５側においては、第１リフレクタ部材１５１が入光部１２２を覆うように構成されており、この第１リフレクタ部材１５１は、ランプベース１４０から右サイドランプユニット７６Ｒの内側に向かって延びるように延設されている。これら第１リフレクタ部材１５１とランプベース１４０との接合点５０１は、導光板１２０の沿面方向において、サイドビューＬＥＤ１６０Ｓ１からの光が入射する端面１２５１から上記導光板１２０の第１屈曲部４００よりも離れた位置に位置している。即ち、リフレクタ２００全体として見れば、第１発光領域１２５側においてリフレクタ２００は、導光板１２０の沿面方向において端面１２５１から第１屈曲部４００よりも離れた位置において内側に屈曲していると言える。
【００５０】
このため、上記第１リフレクタ部材１５１は、導光板１２０の屈曲部４００から端面１２５１の間において（即ち、第１延設部４０２）、導光板１２０との間に所定の空間Ｓを形成している。つまり、リフレクタ２００は、第１発光領域１２５側において、上記ランプベース１４０によって、導光板１２０の裏面１２７と当接する当接領域を形成し、第１リフレクタ部材１５１によって所定の空間Ｓを存して導光板１２０の裏面側から覆う非当接領域を形成している。
【００５１】
一方、第２発光領域１２６においても同様に、第２リフレクタ部材１５２は、導光板１２０の沿面方向において端面１２６１から第２屈曲部４０１よりも離れた位置５０３において右サイドランプユニット７６Ｒの内側に向かって屈曲して形成されている。そして、第２リフレクタ部材１５２は、導光板１２０の裏面と当接する沿面部１５２２によってリフレクタの当接領域を形成し、また、内側に向かって屈曲した屈曲部１５２１によって、導光板１２０の第２屈曲部４０１から端面１２６１の間において（即ち、第２延設部４０３）、導光板１２０との間に所定の空間Ｓを形成して導光板１２０を裏面側から覆う非当接領域を形成している。
【００５２】
このように、本実施の形態において、リフレクタ２００は、端面１２５１，１２６１から導光板１２０に対して光を入射する入光部１２２においては、リフレクタ２００と導光板１２０との間に所定の空間を形成して覆うように構成している。このため、上記端面１２５１，１２６１とサイドビューＬＥＤ１６０Ｓ１，１６０Ｓ２との間や、第１及び第２延設部４０２，４０３から漏れた光が上記リフレクタ２００の非接触部に覆われた空間において反射され、再度、導光板１２０に入射することによって、より効率的にかつ均一に導光板１２０の発光面を発光させることができるようになっている。
【００５３】
５．本実施の形態の効果
【００５４】
本実施の形態に係る遊技機は、発光する電飾装置（７６Ｒ）を備えた遊技機（１）であって、
前記電飾装置（７６Ｒ）は、
発光源（１６０Ｓ１，１６０Ｓ２）が設けられた基板（１６０）と、
端面（１２５１，１２６１）から入射した前記発光源（１６０Ｓ１，１６０Ｓ２）からの光を出射させる導光板（１２０）と、を備え、
前記導光板（１２０）は、前記光源からの光が入射する端面と直交する方向に延びると共に、前記発光源（１６０Ｓ１／１６０Ｓ２）が設けられた前記基板の表面（１６０Ｓ１／１６０Ｓ２）が突き当てられる突き当て面（４０６１／４０６２）を有し、前記突き当て面（４０６１／４０６２）に対して前記基板（１６０）の表面（１６０１／１６０２）が突き当てられることによって、前記発光源（１６０Ｓ１／１６０Ｓ２）と前記導光板（１２０）の端面とが位置合わせされる、ことを特徴としている。
【００５５】
このように、導光板の端面と直交する方向に延びる面と、発光源が設けられた基板の設置面と、を突き当てることによって、導光板の端面から光を入射して発光させる種類の導光板であっても、この導光板の端面と発光源とを容易に位置合わせすることができる。
【００５６】
また、前記導光板（１２０）は、前記基板（１６０）の端部が嵌挿される凹部（４０６）を有すると共に、前記導光板（１２０）の突き当て面（４０６１／４０６２）は、前記凹部（４０６）の対向する両内側面（４０６１，４０６２）の一方であり、前記凹部（４０６）の両内側面（４０６１，４０６２）によって前記基板（１６０）を前記基板（１６０）の厚さ方向に拘束している。
【００５７】
この構成により、上記凹部の両内側面によって基板の厚さ方向の位置を拘束することができ、導光板の端面と発光源とを正確に位置合わせすることができる。
【００５８】
また、本実施の形態に係る遊技機は、発光する電飾装置（７６Ｒ）を備えた遊技機であって、
前記電飾装置（７６Ｒ）は、
発光源（１６０Ｓ１，１６０Ｓ２）と、
端面（１２５１，１２６１）から入射した前記発光源（１６０Ｓ１，１６０Ｓ２）からの光を前記電飾装置（７６Ｒ）の外側に向いた表面（１２１）から出射させる導光板（１２０）と、を備え、
前記導光板（１２０）は、内部にて反射している光の角度を変更して前記表面（１２１）から出射させる複数の拡散部（３０１）からなる拡散パターン（３００）を有し、
前記拡散パターン（３００）は、前記発光源（１６０Ｓ１，１６０Ｓ２）からの距離が離れる程、単位体積あたりにおける前記拡散部（３０１）の総表面積が大きくなるように形成されている、
ことを特徴としている。
【００５９】
このように、拡散パターンが、発光源からの距離が離れる程、単位体積あたりにおける拡散部の総表面積が大きくなるように構成されているため、発光源からの距離が離れる程、拡散部の表面にて導光板内部の光を導光板の表面に向けて反射しやすい構成となり、このため、発光源からの距離が離れた位置においても導光板の表面を均一に発光させることができる。
【００６０】
また、前記電飾装置（７６Ｒ）は、前記表面（１２１）と対向する前記導光板（１２０）の裏面（１２７）に沿って配設されたリフレクタ（２００）を備え、
前記導光板（１２０）は、前記電飾装置（７６Ｒ）の内側に屈曲した屈曲部（４００，４０１）を有し、
前記リフレクタ（２００）は、前記導光板（１２０）の裏面（１２７）と当接する当接領域と、前記導光板（１２０）の沿面方向において前記端面（１２５１，１２６１）から前記屈曲部（４００，４０１）よりも離れた位置にて前記電飾装置（７６Ｒ）の内側に屈曲し、前記導光板（１２０）の前記屈曲部（４００，４０１）から前記端面（１２５１，１２６１）の間において前記導光板（１２０）との間に所定の空間（Ｓ）を形成して前記導光板を裏面側から覆う非当接領域と、を備えている。
【００６１】
この構成により、上記リフレクタによって形成された空間において、発光源や導光板から漏れた光が反射して再度、導光板内に入射させることができ、上記拡散パターン形状とも相俟って導光板を効率よくかつ均一に発光させることができる。
【００６２】
６．変形例
なお、上述した実施の形態では、導光板１２０を１枚の板状部材によって形成したが、これに限らず、例えば、図１０に示すように、複数枚に分割して形成しても良い。即ち、図１０に示す例では、導光板１２０’は、第１発光領域側の第１導光板１２０Ａと、第２発光領域側の第２導光板１２０Ｂと、の異なる２枚の導光板によって構成されており、これら第１導光板１２０Ａの第１延設部４０２’と、第２導光板１２０Ｂの第２延設部４０３’とが当接して、入光部１２２’及び凹部４０６’を形成するように構成されている。
【００６３】
また、上述した実施の形態では、導光板１２０の第１及び第２屈曲部４００，４０１では、極力、導光板１２０内部から光が出射しないように表面１２１及び裏面１２７の何れの面も平滑面によって形成していたが、例えば、図１１に示すように、その表面１２１において所定の拡散パターン６００を形成しても良い。より具体的には、図１１の例では、第２屈曲部４０１’の表面に複数のＶ溝状のレンズカット６０１を施して拡散パターン６００を形成している。このように、屈曲部４０１’の表面１２１に拡散パターン６００を積極的に施すことによって、第２屈曲部４０１’から出射される光を散乱させ、光源に対応する部分が強く光って見える、いわゆる点光りと呼ばれる減少を防止して、導光板１２０’を均一に発光させることができる。
【００６４】
なお、図１０の例では、当然に第１導光板１２０Ａの第１屈曲部４００’の表面においても同様のレンズカットが施されて拡散パターン６００が形成されている。また、上記拡散パターン６００は、必ずしもＶ溝状のレンズカットによって形成される必要はなく、湾曲部から出射される光を散乱することができるのであれば、例えば、ドット状など、どのような形態のパターンを形成しても良い。
【００６５】
また、上述した実施の形態では、導光板１２０をその中央部から両面発光のＬＥＤ基板１６０によって左右に分けて発光させたが、これに限らず、片側の端面のみから光を入射するように導光板を構成しても良い。更に、この場合、当然に導光板１２０は湾曲して入光部１２２を形成する必要はない。また、本発明は、電飾装置を有するパチンコ機などに適用しても良い。
【符号の説明】
【００６６】
１…遊技機（スロットマシン）／７６Ｒ…電飾装置（右サイドランプユニット）／１６０Ｓ１，１６０Ｓ２…発光源（サイドビューＬＥＤ）／１２０…導光板／１２１…表面／１２５１，１２６１…端面／２００…リフレクタ／４００，４０１…屈曲部／４０６…凹部／Ｓ…空間
【図１】
2019058554.tif 000003
【図２】
2019058554.tif 000004
【図３】
2019058554.tif 000005
【図４】
2019058554.tif 000006
【図５】
2019058554.tif 000007
【図６】
2019058554.tif 000008
【図７】
2019058554.tif 000009
【図８】
2019058554.tif 000010
【図９】
2019058554.tif 000011
【図１０】
2019058554.tif 000012
【図１１】
2019058554.tif 000013